(57)【特許請求の範囲】
【請求項１】
直管形ＬＥＤランプの一端部を保持し、前記ＬＥＤランプに電力を供給するための第１ソケットと、前記ＬＥＤランプの他端部を保持するための、前記ＬＥＤランプに電力を供給しない第２ソケットを有するＬＥＤランプ用ソケットにあって、
前記第１ソケットは、上端部が、建築側の取付部に固定される第１基部と、前記第１基部に設けられた第１保持部と、を備え、
前記第１基部は、前記取付部に固定されると、前記ＬＥＤランプの上方を覆うためのカバーに形成された開口を通過して、前記カバーの下方に突出し、前記ＬＥＤランプを所定の第１向きで保持するための第１角度設定手段を備え、
前記第１保持部は、上面が前記カバーの下面に対向し、前記ＬＥＤランプを、前記第１向きから所定角度傾斜させた第２向きで保持するための第２角度設定手段を備えたＬＥＤランプ用ソケット。
【請求項２】
前記第１保持部は、
前記ＬＥＤランプの一端部を支持するための支持孔が形成され、前記支持孔が、その軸と直交する方向にも開口する本体と、
前記本体に設けられ、前記支持孔に通じる前記開口の少なくとも一部を塞ぐ閉塞位置、及び、前記支持孔に通じる前記開口を開放する開放位置に配置可能な閉塞体と、
前記本体に設けられ、前記閉塞体を前記閉塞位置に配置させるための押付力を、前記閉塞体に対して常に作用させる弾性体と、
を備えた請求項１に記載のＬＥＤランプ用ソケット。
【請求項３】
基板に設けられた複数のＬＥＤ素子と、
内部に前記基板が配置された管状体と、
前記管状体の一端部に設けられた第１口金と、
前記管状体の他端部に設けられた第２口金と、
を備え、
前記第１口金は、外部電力を前記ＬＥＤ素子に供給するための端子を備え、所定の第１ソケットに保持される所定の形状を有し、
前記第２口金は、所定の第２ソケットに保持され、且つ、前記第１ソケットでは保持できない所定の形状を有し、外部電力を前記ＬＥＤ素子に供給するための端子を備えていない
ＬＥＤランプにあって、
前記複数のＬＥＤ素子は、前記基板の一側面に設けられ、
前記管状体は、
前記基板の一側面側を覆うように配置された、断面が円弧状を呈する透光体と、
前記基板の他側面側を覆うように配置された、断面がＵ字状を呈する支持体と、
を備え、
前記基板及び前記透光体は、前記支持体に設けられ、
前記支持体は、前記透光体の断面が一部を形成する円の外側に突出するように配置され、
前記支持体と前記基板との間に、前記ＬＥＤ素子に電力を供給するためのパワーユニットが配置されたＬＥＤランプ。
【請求項４】
直管形蛍光ランプの上方を覆うためのカバーを、建築側の取付部から取り外すステップと、
前記蛍光ランプの一方の口金が接続される既設第１ソケットを、前記取付部から取り外すステップと、
前記取付部に、直管形ＬＥＤランプの一方の口金が接続される新設第１ソケットの第１基部を取り付けるステップと、
前記蛍光ランプの他方の口金が接続される既設第２ソケットを、前記取付部から取り外すステップと、
前記取付部に、前記ＬＥＤランプの他方の口金が接続される新設第２ソケットの第２基部を取り付けるステップと、
前記既設第１ソケット及び前記既設第２ソケットを取り外した後、前記取付部に、前記カバーを取り付けるステップと、
前記第１基部及び前記カバーを前記取付部に取り付けた後、前記第１基部に、前記新設第１ソケットの第１保持部を取り付けるステップと、
前記第２基部及び前記カバーを前記取付部に取り付けた後、前記第２基部に、前記新設第２ソケットの第２保持部を取り付けるステップと、
を備え、
前記第１保持部は、前記第１基部に取り付けられると、上面が前記カバーの下面に対向し、
前記第２保持部は、前記第２基部に取り付けられると、上面が前記カバーの下面に対向する照明装置のリニューアル方法。
【発明の詳細な説明】
【技術分野】
【０００１】
この発明は、ＬＥＤランプ用ソケット、ＬＥＤランプ、照明装置のリニューアル方法に関するものである。
【背景技術】
【０００２】
ＬＥＤ（発光ダイオード）を備えた照明灯は、二酸化炭素の削減効果や省エネ効果があり、寿命が長く、且つ、紫外線や熱線がほとんど発生しない等、数々の利点を有している。このため、ＬＥＤを備えた照明灯（以下、単に「ＬＥＤランプ」ともいう）は、近年急速に市場に普及されつつある。
【０００３】
例えば、特許文献１及び２に、直管形のＬＥＤランプの従来技術が開示されている。
【先行技術文献】
【特許文献】
【０００４】
【特許文献１】実開平６−５４１０３号公報
【特許文献２】特開平２０１０−９７９１９号公報
【発明の概要】
【発明が解決しようとする課題】
【０００５】
特許文献１及び２に記載されたＬＥＤランプは、両方の口金が、蛍光ランプの口金と同じ形状を有している。即ち、このＬＥＤランプが取り付けられるソケットに、同じ口金を持った直管形の蛍光ランプを取り付けることができる。
ＬＥＤランプ用のソケットに、蛍光ランプが取り付けられることは、好ましいことではない。従来の照明装置では、このような取り付けに関する不具合の発生を防止することができなかった。
【０００６】
この発明は、上述のような課題を解決するためになされたもので、その目的は、既存の直管形蛍光ランプに対する給電を適切に行うことができないＬＥＤランプ用ソケットを提供することである。
また、他の目的は、このようなＬＥＤランプ用ソケットに取り付けることができるＬＥＤランプを提供することである。
また、他の目的は、既設の照明装置を、ＬＥＤランプ用ソケットを備えた照明装置にリニューアルする方法を提供することである。
【課題を解決するための手段】
【０００７】
この発明に係るＬＥＤランプ用ソケットは、直管形ＬＥＤランプの一端部を保持し、ＬＥＤランプに電力を供給するための第１ソケットと、ＬＥＤランプの他端部を保持するための第２ソケットと、を備え、第２ソケットは、ＬＥＤランプに電力を供給しないものである。
【０００８】
この発明に係るＬＥＤランプは、基板に設けられた複数のＬＥＤ素子と、内部に基板が配置された管状体と、管状体の一端部に設けられた第１口金と、管状体の他端部に設けられた第２口金と、を備え、第１口金は、外部電力をＬＥＤ素子に供給するための端子を備え、所定の第１ソケットに保持される所定の形状を有し、第２口金は、所定の第２ソケットに保持され、且つ、第１ソケットでは保持できない所定の形状を有し、外部電力をＬＥＤ素子に供給するための端子を備えていないものである。
【０００９】
この発明に係る照明装置のリニューアル方法は、直管形蛍光ランプの上方を覆うためのカバーを、建築側の取付部から取り外すステップと、蛍光ランプの一方の口金が接続される既設第１ソケットを、取付部から取り外すステップと、取付部に、直管形ＬＥＤランプの一方の口金が接続される新設第１ソケットの第１基部を取り付けるステップと、蛍光ランプの他方の口金が接続される既設第２ソケットを、取付部から取り外すステップと、取付部に、ＬＥＤランプの他方の口金が接続される新設第２ソケットの第２基部を取り付けるステップと、既設第１ソケット及び既設第２ソケットを取り外した後、取付部に、カバーを取り付けるステップと、第１基部及びカバーを取付部に取り付けた後、第１基部に、新設第１ソケットの第１保持部を取り付けるステップと、第２基部及びカバーを取付部に取り付けた後、第２基部に、新設第２ソケットの第２保持部を取り付けるステップと、を備え、第１保持部は、第１基部に取り付けられると、上面がカバーの下面に対向し、第２保持部は、第２基部に取り付けられると、上面がカバーの下面に対向するものである。
【発明の効果】
【００１０】
この発明によれば、所定の直管形ＬＥＤランプに対する保持及び給電を適切に行うことができ、既存の直管形蛍光ランプに対する給電を適切に行うことができなくなる。照明装置におけるランプの取り付けに関する不具合を確実に解消することができる。
【図面の簡単な説明】
【００１１】
【図１】この発明の実施の形態１における照明装置を示す斜視図である。
【図２】この発明の実施の形態１における照明装置の要部を下方から見た図である。
【図３】この発明の実施の形態１におけるＬＥＤランプを示す正面図である。
【図４】この発明の実施の形態１におけるＬＥＤランプを示す側面図である。
【図５】この発明の実施の形態１におけるＬＥＤランプを示す側面図である。
【図６】この発明の実施の形態１におけるＬＥＤランプの断面図である。
【図７】図１及び図２に示すソケットの正面図である。
【図８】図１及び図２に示すソケットの側面図である。
【図９】図１及び図２に示すソケットの側面図である。
【図１０】図７乃至図９に示すソケットの基部を示す図である。
【図１１】図７乃至図９に示すソケットの保持部の要部を示す図である。
【図１２】図１及び図２に示すソケットの基部を示す図である。
【図１３】図１及び図２に示すソケットの保持部を示す図である。
【発明を実施するための形態】
【００１２】
添付の図面を参照して、本発明を詳細に説明する。各図において、同一又は相当する部分に、同一の符号を付している。重複する説明は、適宜簡略化或いは省略している。
【００１３】
実施の形態１．
図１はこの発明の実施の形態１における照明装置を示す斜視図である。図２はこの発明の実施の形態１における照明装置の要部を下方から見た図である。
図１及び図２に示す照明装置は、ＬＥＤランプ１、ＬＥＤランプ１用のソケット２及び３、カバー４を備える。
【００１４】
図３はこの発明の実施の形態１におけるＬＥＤランプを示す正面図である。図４及び図５は、この発明の実施の形態１におけるＬＥＤランプを示す側面図である。図６はこの発明の実施の形態１におけるＬＥＤランプの断面図である。図３乃至図５は、ＬＥＤランプ１の外観を示している。図６は、図３のＡ−Ａ矢視を示している。
【００１５】
ＬＥＤランプ１は、直管形のランプである。ＬＥＤランプ１は、内部に、複数のＬＥＤ素子５を備える。ＬＥＤ素子５は、基板６の表面（一側面）に設けられる。基板６は、長尺の板状を呈する。ＬＥＤ素子５は、基板６上に一直線状に配置される。ＬＥＤランプ１に電力が供給されると、ＬＥＤ素子５が発光する。
【００１６】
複数のＬＥＤ素子５が設けられた基板６は、長尺の管状体７の内部に配置される。管状体７は、透光体８、支持体９により、要部が構成される。
【００１７】
透光体８は、所定の透光性を有する部材（例えば、アクリル）からなる。透光体８は、断面が１８０度以上の円弧状を呈する。透光体８は、基板６の表面側を覆うように配置される。円弧状断面の一端を形成する透光体８の一縁部は、基板６の裏面側に配置される。円弧状断面の他端を形成する透光体８の他縁部は、基板６の裏面側に配置される。ＬＥＤ素子５と、透光体８のＬＥＤ素子５が対向する部分との間に、透光体８の断面が一部を形成する円の半径よりも長い距離が設けられる。
【００１８】
支持体９は、金属部材（例えば、アルミ）からなる。支持体９は、断面が、中空の略四角環状を呈する。支持体９の一側面（下面）に、基板６の裏面（他側面）が接着固定される。透光体８の一縁部は、支持体９のうち、基板６の一縁部に近接する部分に固定される。透光体８の他縁部は、支持体９のうち、基板６の他縁部に近接する部分に固定される。即ち、基板６及び透光体８は、支持体９に設けられる。また、支持体９は、基板６及び透光体８を支持する機能の他に、放熱器としての機能を備えている。ＬＥＤ素子５で発生した熱は、基板６を介して、支持体９に伝わる。放熱作用を改善するため、支持体９のうち、基板６が接着される部分の厚みを厚くしても良い。
【００１９】
支持体９は、その一部が、透光体８の断面が一部を形成する円の外側に突出するように配置される。このため、管状体７には、基板６の裏面側に、支持体９によって周方向に囲まれた比較的大きな空間（内部空間）が、長手に沿って形成される。１０は、ＬＥＤ素子５（基板６）に電力を供給するためのパワーユニットである。パワーユニット１０は、管状体７の上記内部空間に配置される。パワーユニット１０は、全体として棒状を呈する。パワーユニット１０は、基板６と支持体９との間に形成された空間に、管状体７の端面側から挿入された後、配線が、基板６に接続される。
【００２０】
管状体７の一方の端部に、口金１１が設けられる。口金１１は、例えば、支持体９の一端部に固定される。口金１１は、ソケット２に接続されるものである。口金１１のうち、ソケット２に実際に接続される部分は、直管形の蛍光ランプの口金と同じ構成を有していても良い。例えば、口金１１は、蛍光ランプのＧ１３口金と同じ形状を有する。
【００２１】
口金１１は、端部カバー１２、突出部１３、端子１４を備える。
端部カバー１２は、管状体７の一端部を、その周方向に覆う。また、端部カバー１２は、管状体７の一端に形成された開口を塞ぐように配置される。突出部１３は、直方体状を呈し、端部カバー１２から突出するように配置される。端子１４は、外部からの電力を、パワーユニット１０及び基板６を介して、ＬＥＤ素子５に供給するためのものである。端子１４は、突出部１３から管状体７（ＬＥＤランプ１）の長手方向に更に突出するように、突出部１３の先端面に設けられる。
【００２２】
管状体７の他方の端部に、口金１５が設けられる。口金１５は、例えば、支持体９の他端部に固定される。口金１５は、ソケット３に接続されるものである。口金１５のうち、ソケット３に実際に接続される部分は、直管形の蛍光ランプの口金とは異なる構成（形状）を有する。
【００２３】
口金１５は、端部カバー１６、突出部１７を備える。口金１５に、外部電力をＬＥＤ素子５（パワーユニット１０）に供給するための端子は備えられていない。
【００２４】
端部カバー１６は、管状体７の他端部を、その周方向に覆う。また、端部カバー１６は、管状体７の他端に形成された開口を塞ぐように配置される。突出部１７は、円柱状を呈し、端部カバー１６から突出するように配置される。突出部１７は、例えば、その軸が、透光体８の軸に対して一直線状に配置される。突出部１７は、外周面に、３対の溝１８が形成される。溝１８は、突出部１７の軸方向に形成される。１対の溝１８は、基板６が水平に配置された際に、同じ高さに配置される。他の１対の溝１８は、上記１対の溝１８を、突出部１７の軸を中心に＋３５度回転させた位置に形成される。また、他の１対の溝１８は、上記１対の溝１８を、突出部１７の軸を中心に−３５度回転させた位置に形成される。
【００２５】
図７は図１及び図２に示すソケットの正面図である。図８及び図９は、図１及び図２に示すソケットの側面図である。図７乃至図９は、口金１１が接続されるソケット２を示している。ソケット２は、ＬＥＤランプ１の一端部（口金１１）を保持する機能と、ＬＥＤランプ１に電力を供給する機能とを備える。ソケット２は、ＬＥＤランプ１の他端部（口金１５）を保持する機能を備えていない。
【００２６】
ソケット２は、基部１９、保持部２０から構成される。図１０は、図７乃至図９に示すソケットの基部を示す図である。図１０（ａ）は、ソケット２の基部１９の側面図を示している。図１０（ｂ）は、ソケット２の基部１９の正面図を示している。
【００２７】
基部１９は、本体２１、回転体２２、給電用の板ばね（図示せず）を備える。
本体２１は、上端部が、取付部２３に固定される。取付部２３は、建築側の固定体に固定された部材である。取付部２３は、カバー４の上方に配置される。カバー４によってＬＥＤランプ１の上方を覆うことにより、取付部２３等の建築側の構成を隠すことができる。本体２１は、上端部が取付部２３に固定されると、カバー４に形成された開口２４（切り欠きを含む）を通過して、カバー４の下方に突出する。
【００２８】
本体２１の下部に、円形に窪んだ凹部２５が形成される。凹部２５は、本体２１のＬＥＤランプ１側を向く面（一側面）に開口する。凹部２５の底面から突出するように、ガイド２６が設けられる。ガイド２６は、全体として円柱状を呈する。回転体２２は、円筒状を呈する。回転体２２は、ガイド２６の周囲を取り囲むように、凹部２５内に配置される。回転体２２は、ガイド２６に案内され、ガイド２６を中心に回転する。
【００２９】
回転体２２の２箇所に、凹部２５の開口方向と同じ方向に開口する凹部２７が形成される。本体２１の下端部、及び、ガイド２６にも、凹部２７と同じ方向に開口する凹部２８及び２９が形成される。凹部２７が凹部２９の上下に配置されると、凹部２７乃至２９が一直線状に並ぶ。これにより、本体２１の下端部、回転体２２、ガイド２６を縦断するように、基部１９に一本の溝３０が形成される。
【００３０】
溝３０は、本体２１の一側面側及び下方に開口する。ＬＥＤランプ１の取り付け時、回転体２２の位置が適切に合わされ、溝３０が形成される。溝３０に、ＬＥＤランプ１の端子１４が配置される。端子１４は、下方から溝３０に進入する。一方の端子１４が凹部２７の一方に、他方の端子１４が凹部２７の他方に配置された状態で、ＬＥＤランプ１がその軸を中心に回転されると、回転体２２が、端子１４に押されて回転する。
【００３１】
本体２１の内部に、第１角度設定手段が備えられる。第１角度設定手段は、ＬＥＤランプ１を所定の向きで保持するためのものである。ＬＥＤランプ１は、第１角度設定手段により、基板６が水平となり、且つ、ＬＥＤ素子５が下方を向く向き（第１向き）で保持される。ＬＥＤランプ１が第１角度設定手段によって第１向きに保持されると、一定以上の力でＬＥＤランプ１を回転させなければ、上記保持状態を解除することはできない。
【００３２】
端子１４が凹部２７内に配置された状態でＬＥＤランプ１が所定の向きを向くように配置されると、端子１４が、給電用の板ばねに接触する。これにより、ソケット２からＬＥＤランプ１に電力が供給される。
【００３３】
本体２１は、一側面に、位置決め用の一対の凹部３１と、一対の凹部３２とが形成される。
基部１９は、本体２１に凹部３１及び３２が形成されていること以外、直管形蛍光ランプ用のソケット（例えば、Ｇ１３口金用のソケット）と同じ構成であっても構わない。
【００３４】
保持部２０は、基部１９に設けられる。保持部２０は、種々の機能を備える。例えば、保持部２０は、ＬＥＤランプ１の一端部を支持する機能を備える。また、保持部２０は、ＬＥＤランプ１の一端部を所定の向きで保持する機能を備える。保持部２０は、ＬＥＤランプ１が落下することを防止する機能を備える。
【００３５】
これらの機能を実現するため、保持部２０は、本体３３、閉塞体３４、押えばね３５を備える。図１１は、図７乃至図９に示すソケットの保持部の要部を示す図である。図１１（ａ）は、保持部２０の本体３３の正面図を示している。また、図１１（ｂ）は保持部２０の本体３３の側面図を、図１１（ｃ）はその底面図を示している。
【００３６】
本体３３は、２つの腕部３６を備える。腕部３６は、その先端が鉤状に形成される。腕部３６は、基部１９の本体２１を挟み込むように、本体２１の両側に配置される。腕部３６の鉤状を呈する先端部が本体２１の他側面に掛かることにより、本体３３は、基部１９（の本体２１）に取り付けられる。
【００３７】
本体３３は、本体２１に取り付けられると、一側面が、本体２１の一側面に対向し、密着する。本体３３は、一側面に、位置決め用の一対の凸部３７と、一対の凸部３８とが設けられる。本体３３が本体２１に適切に取り付けられると、凸部３７が凹部３１内に、凸部３８が凹部３２内に配置される。また、本体３３が本体２１に適切に取り付けられると、本体３３の大部分は、カバー４に形成された開口２４の位置よりもＬＥＤランプ１側に配置される。このため、本体３３（の大部分）は、上面が、カバー４の下面に対向する。
【００３８】
本体３３に、支持孔３９が形成される。支持孔３９は、ＬＥＤランプ１の一端部（口金１１）を支持するための孔である。支持孔３９は、その軸が、凹部２５の軸（ガイド２６の軸）と一直線状になるように配置される。即ち、ＬＥＤランプ１の口金１１が、支持孔３９を貫通する。支持孔３９は、その軸と直交する方向（例えば、下方）にも、一直線状に開口する。この下向きの開口４０は、本体２１の凹部２８と一直線状に配置される。ＬＥＤランプ１の取り付け時、突出部１３が開口４０を下方から通過し、支持孔３９に進入する。ＬＥＤランプ１が軸を中心に回転されると、突出部１３は、支持孔３９の内部で回転する。
【００３９】
本体３３に、第２角度設定手段が備えられる。第２角度設定手段は、ＬＥＤランプ１を所定の向きで保持するためのものである。第２角度設定手段により、ＬＥＤランプ１は、上記第１向きから所定角度傾斜させた向きで保持される。
【００４０】
第２角度設定手段は、例えば、４つの保持部材４１によって構成される。（保持部材４１を具体的に特定する必要がある場合、図１１に示すように、符号にａ乃至ｄを付して区別する。）保持部材４１は、先端部が球状を呈する。保持部材４１は、先端部が支持孔３９の外側に一定以上の力で押されると、その押された方向に変位するように構成される。
【００４１】
突出部１３が支持孔３９内で水平に配置されると、ＬＥＤランプ１は、第１角度設定手段によって第１向きで保持される。この時、本体３３では、保持部材４１ａ及び４１ｄが、突出部１３によって両側に僅かに押し広げられた状態になる（図１１（ａ）の突出部１３ａ）。
【００４２】
この状態からＬＥＤランプ１が一方向（例えば、図１１（ａ）において時計回り）に回転されると、突出部１３が、保持部材４１ａの先端部及び保持部材４１ｂの先端部の間に配置される（図１１（ａ）の突出部１３ｂ）。突出部１３が１３ｂに示す位置に配置されると、保持部材４１ａの先端部或いは保持部材４１ｂの先端部を外側に変位させなければ、突出部１３を回転させることができない。即ち、ＬＥＤランプ１は、上記第１向きから所定角度（例えば、＋３５度）傾斜させた向き（第２向き）で保持される。
【００４３】
突出部１３が水平に配置された状態からＬＥＤランプ１が他方向（例えば、図１１（ａ）において反時計回り）に回転されると、突出部１３が、保持部材４１ｃの先端部及び保持部材４１ｄの先端部の間に配置される（図１１（ａ）の突出部１３ｃ）。突出部１３が１３ｃに示す位置に配置されると、保持部材４１ｃの先端部或いは保持部材４１ｄの先端部を外側に変位させなければ、突出部１３を回転させることができない。即ち、ＬＥＤランプ１は、上記第１向きから所定角度（例えば、−３５度）傾斜させた向き（第３向き）で保持される。
【００４４】
閉塞体３４は、支持孔３９に通じる上記開口４０（の一部）を開閉するためのものである。閉塞体３４は、本体３３に形成された取付孔４２に挿入されることにより、本体３３に対してスライド自在に設けられる。
【００４５】
押えばね３５は、閉塞体３４を一方向に押し付けるための板ばねからなる。押えばね３５は、本体３３の側面に固定される。閉塞体３４は、押えばね３５によって押し付けられることにより、開口４０の一部を塞ぐ所定の閉塞位置に配置される。閉塞体３４が閉塞位置に配置されると、突出部１３は、開口４０を通過することができない。押えばね３５は、上記押付力を閉塞体３４に対して常に作用させる。これにより、口金１１がソケット２から外れることを防止する。
【００４６】
閉塞体３４は、押えばね３５の押付力に抗して変位すると、開口４０を開放する開放位置に配置される。閉塞体３４は、口金１１をソケット２に接続する際に、開放位置に配置される。開放位置は、開口４０を完全に開放する位置でなくても構わない。開放位置は、突出部１３が開口４０を通過できる位置であれば良い。
【００４７】
一方、ソケット３は、ＬＥＤランプ１の他端部（口金１５）を保持する機能を備える。ソケット３は、ＬＥＤランプ１の一端部（口金１１）を保持する機能を備えていない。また、ソケット３は、ＬＥＤランプ１に電力を供給する機能を備えていない。
【００４８】
ソケット３は、基部４３、保持部４４から構成される。図１２は図１及び図２に示すソケットの基部を示す図である。図１２（ａ）は、ソケット３の基部４３の側面図を示している。図１２（ｂ）は、ソケット３の基部４３の正面図を示している。図１３は図１及び図２に示すソケットの保持部を示す図である。図１３（ａ）は、ソケット３の保持部４４の正面図を示している。また、図１３（ｂ）はソケット３の保持部４４の側面図を、図１３（ｃ）はその底面図を示している。
【００４９】
基部４３は、上端部が、取付部２３に固定される。基部４３が固定される取付部２３と基部１９が固定される取付部２３とは、同一部品でなくても構わない。基部４３が固定される取付部２３も、カバー４の上方に配置される。基部４３は、上端部が取付部２３に固定されると、カバー４に形成された開口４５（切り欠きを含む）を通過して、カバー４の下方に突出する。
【００５０】
基部４３の下部に、円形に窪んだ凹部４６が形成される。凹部４６は、基部４３のＬＥＤランプ１側を向く面（一側面）に開口する。凹部４６は、ＬＥＤランプ１の他端部を支持するための窪みである。ＬＥＤランプ１が適切に取り付けられると、突出部１７の先端部が、凹部４６内に配置される。
基部４３は、一側面に、位置決め用の一対の凹部４７が形成される。
【００５１】
保持部４４は、基部４３に設けられる。保持部４４は、２つの腕部４８を備える。腕部４８は、その先端が鉤状に形成される。腕部４８は、基部４３を挟み込むように、基部４３の両側に配置される。腕部４８の鉤状を呈する先端部が基部４３の他側面に掛かることにより、保持部４４は、基部４３に取り付けられる。
【００５２】
保持部４４は、基部４３に取り付けられると、一側面が、基部４３の一側面に対向し、密着する。保持部４４は、一側面に、位置決め用の一対の凸部４９が設けられる。保持部４４が基部４３に適切に取り付けられると、凸部４９が凹部４７内に配置される。また、保持部４４が基部４３に適切に取り付けられると、保持部４４の大部分は、カバー４に形成された開口４５の位置よりもＬＥＤランプ１側に配置される。このため、保持部４４（の大部分）は、上面が、カバー４の下面に対向する。
【００５３】
保持部４４に、支持孔５０が形成される。支持孔５０は、ＬＥＤランプ１の他端部（口金１５）を支持するための孔である。支持孔５０は、その軸が、凹部４６の軸と一直線状に配置される。即ち、ＬＥＤランプ１の口金１５の突出部１７が、支持孔５０を貫通する。
【００５４】
保持部４４に、第３角度設定手段が備えられる。第３角度設定手段は、ＬＥＤランプ１を所定の向きで保持するためのものである。第３角度設定手段は、例えば、ＬＥＤランプ１の突出部１７に形成された溝１８と、保持部４４に備えられた２つの保持部材５１によって構成される。
【００５５】
保持部材５１は、先端部が球状を呈する。保持部材５１は、先端部が支持孔５０の外側に一定以上の力で押されると、その押された方向に変位するように構成される。保持部材５１の各先端部は、同じ高さに配置される。ＬＥＤランプ１の他端部が支持孔５０に挿入されると、同じ高さに配置された溝１８に、保持部材５１の各先端部が嵌まる。このため、ＬＥＤランプ１は、第３角度設定手段により、他端部側も上記第１向き、第２向き、第３向きで保持される。ＬＥＤランプ１が第３角度設定手段によって向きが保持されると、一定以上の力でＬＥＤランプ１を回転させなければ、上記保持状態を解除することはできない。
【００５６】
上記構成を有する照明装置であれば、ＬＥＤランプ１に対する保持及び給電を適切に行うことができる。一方、既存の直管形蛍光ランプに対する保持及び給電を、適切に行うことはできない。このため、照明装置におけるランプの取り付けに関する不具合を解消することができる。
【００５７】
なお、ソケット２は、その形状から、ＬＥＤランプ１の他端部（口金１５）を保持することはできない。また、ソケット３は、その形状から、ＬＥＤランプ１の一端部（口金１１）を保持することはできない。ソケット３は、ＬＥＤランプ１に電力を供給するための構成も有していない。このため、上記効果を確実に奏することができる。また、ＬＥＤランプ１の取り付け向きを間違うような不具合も発生しない。
【００５８】
ソケット２及び３がそれぞれ２部品に分割されているため、照明装置のリニューアルも容易に行うことができる。以下に、直管形蛍光ランプに対応した照明装置をリニューアルする際の手順について説明する。
【００５９】
先ず、直管形蛍光ランプを既設のソケットから外す。蛍光ランプを取り外した後、蛍光ランプの上方を覆っていたカバー４を、建築側の取付部２３から取り外す。カバー４を取り外すことによって取付部２３が露出する。
【００６０】
カバー４を取り外した後、既設ソケットの一方（既設第１ソケット）を取付部２３から取り外す。既設第１ソケットは、直管形蛍光ランプの一方の口金を接続するためのソケットである。既設第１ソケットを取り外した後、取付部２３のうち、既設第１ソケットが取り付けられていた位置に、ソケット２の基部１９を取り付ける。
【００６１】
また、カバー４を取り外した後、既設ソケットの他方（既設第２ソケット）を取付部２３から取り外す。既設第２ソケットは、直管形蛍光ランプの他方の口金を接続するためのソケットである。既設第２ソケットを取り外した後、取付部２３のうち、既設第２ソケットが取り付けられていた位置に、ソケット３の基部４３を取り付ける。
【００６２】
既設第１ソケット及び既設第２ソケットを取付部２３から取り外した後、取付部２３に、カバー４を取り付ける。カバー４には、既設第１ソケットが貫通するための開口２４と、既設第２ソケットが貫通するための開口４５とが予め開けられている。基部１９が取付部２３に適切に取り付けられていれば、基部１９は、開口２４を通って、カバー４の下方に突出する。基部４３が取付部２３に適切に取り付けられていれば、基部４３は、開口４５を通って、カバー４の下方に突出する。
【００６３】
基部１９及び４３とカバー４とを取付部２３に取り付けた後、基部１９に、ソケット２の保持部２０を取り付ける。保持部２０は、基部１９の一側面側に配置される。また、保持部２０の大部分は、カバー４の直下に配置される。このため、保持部２０の上面は、カバー４の下面に対向する。
【００６４】
また、基部１９及び４３とカバー４とを取付部２３に取り付けた後、基部４３に、ソケット３の保持部４４を取り付ける。保持部４４は、基部４３の一側面側に配置される。また、保持部４４の大部分は、カバー４の直下に配置される。このため、保持部４４の上面は、カバー４の下面に対向する。
【００６５】
基部１９に保持部２０を取り付け、基部４３に保持部４４を取り付けた後、直管形ＬＥＤランプ１を、ソケット２及び３間に接続する。
【００６６】
直管形ＬＥＤランプ１を取り付ける場合は、先ず、ＬＥＤランプ１の突出部１７を、ソケット３の支持孔５０に挿入する。次に、突出部１３が縦向きに配置されるようにＬＥＤランプ１を配置し、突出部１３及び端子１４を、開口４０及び溝３０に下方から進入させる。この時、閉塞体３４は、開放位置に移動させておく。端子１４が回転体２２の各凹部２７内に配置されたら、ＬＥＤ素子５が下方を向くように、ＬＥＤランプ１を回転させる。光の照射角度を変えたい場合は、ＬＥＤランプ１を回転させて、第１向き乃至第３向きの何れかに合わせる。
【００６７】
このように、直管形蛍光ランプに対応した照明装置を、既設の部品等を最大限利用して、直管形ＬＥＤランプ１に対応した照明装置にリニューアルすることができる。
【符号の説明】
【００６８】
１  ＬＥＤランプ、  ２  ソケット、  ３  ソケット、  ４  カバー、  ５  ＬＥＤ素子、  ６  基板、  ７  管状体、  ８  透光体、  ９  支持体、  １０  パワーユニット、  １１  口金、  １２  端部カバー、  １３  突出部、  １４  端子、  １５  口金、  １６  端部カバー、  １７  突出部、  １８  溝、  １９  基部、  ２０  保持部、  ２１  本体、  ２２  回転体、  ２３  取付部、  ２４  開口、  ２５  凹部、  ２６  ガイド、  ２７  凹部、  ２８  凹部、  ２９  凹部、  ３０  溝、  ３１  凹部、  ３２  凹部、  ３３  本体、  ３４  閉塞体、  ３５  押えばね、  ３６  腕部、  ３７  凸部、  ３８  凸部、  ３９  支持孔、  ４０  開口、  ４１  保持部材、  ４２  取付孔、  ４３  基部、  ４４  保持部、  ４５  開口、  ４６  凹部、  ４７  凹部、  ４８  腕部、  ４９  凸部、  ５０  支持孔、  ５１  保持部材
【図１】
0006028180.tif 000002
【図２】
0006028180.tif 000003
【図３】
0006028180.tif 000004
【図４】
0006028180.tif 000005
【図５】
0006028180.tif 000006
【図６】
0006028180.tif 000007
【図７】
0006028180.tif 000008
【図８】
0006028180.tif 000009
【図９】
0006028180.tif 000010
【図１０】
0006028180.tif 000011
【図１１】
0006028180.tif 000012
【図１２】
0006028180.tif 000013
【図１３】
0006028180.tif 000014